Podtech/llm-jp-corpus-v4-ja_patent huggingface dataset:
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
シートにインクが塗布された部分とラミネート層とを配したインクシートを受像紙と共にサーマルヘッドとプラテンローラで狭持し、前記インクシートに塗布されたインクを前記受像紙に熱転写すると共に、前記ラミネート層を前記受像紙に転写する画像印画方法において、
前記ラミネート層を前記受像紙に転写中に、前記インクシートのテンションを変化させて上記受像紙表面に艶消し処理を施すことを特徴とする画像印画方法。
【請求項２】
シートにインクが塗布された部分とラミネート層とを配したインクシートを受像紙と共にサーマルヘッドとプラテンローラで狭持し、前記インクシートに塗布されたインクを前記受像紙に熱転写すると共に、前記ラミネート層を前記受像紙に転写する画像印画装置において、
前記インクシートを案内するインクシートガイド手段と、前記インクシートガイド手段により案内される前記インクシートのテンションを変化させる負荷制御手段と、を備えたことを特徴とする画像印画装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
この発明に係る画像印画方法は、シートにインクが塗布された部分とラミネート層とを配したインクシートを受像紙と共にサーマルヘッドとプラテンローラで狭持し、前記インクシートに塗布されたインクを前記受像紙に熱転写すると共に、前記ラミネート層を前記受像紙に転写する画像印画方法において、前記ラミネート層を前記受像紙に転写中に、前記インクシートのテンションを変化させて上記受像紙表面に艶消し処理を施すことを特徴とするものである。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
この発明によれば、負荷制御手段を備えてインクシートのテンションを変化できるようにしたので、インクシートに配されたラミネート層を受像紙に転写するときに、インクシートのテンションを変更してラミネート層と受像紙の間に生成する空隙の有無を制御し、同一のインクシートで高光沢処理と艶消し処理の両方を実現できる効果がある。
【手続補正７】
【補正対象書類名】明細書
【補正対象項目名】００２１
【補正方法】変更
【補正の内容】
【００２１】
受像紙２１は、搬送ローラ１９とピンチローラ２０に挟持され、サーマルヘッド１３とプラテンローラ１８の間に案内される。画像印画装置１のフレームには、プラテンローラ１８と平行に回動可能に支持された供給ボビン２２が設けられ、また、プラテンローラ１８を挟んで供給ボビン２２と対向する位置に、プラテンローラ１８と平行に画像印画装置１のフレームに回動可能に支持された巻き取りボビン２３が設けられている。インクシート２４は、一端が供給ボビン２２の外周に巻きつけられると共に、他端が巻き取りボビン２３の外周に貼り付けられ、インクシートガイドローラ１４によりサーマルヘッド１３と受像紙２１の間に案内されている。
【手続補正８】
【補正対象書類名】明細書
【補正対象項目名】００３１
【補正方法】変更
【補正の内容】
【００３１】
サーマルヘッド１３とプラテンローラ１８の相対的な位置が変化すると、サーマルヘッド１３とプラテンローラ１８の間に作用する接触圧の分布、すなわち、サーマルヘッド１３とインクシート２４との密着力分布と、受像紙２１とインクシート２４との密着力分布とが変化する。一方、サーマルヘッド１３の発熱抵抗体列３１近傍の温度分布は、サーマルヘッド１３とプラテンローラ１８の相対的な位置関係による影響が小さく、僅かしか変化しない。したがって、サーマルヘッド１３とプラテンローラ１８の相対的な位置を変化させると、染料２６、およびラミネート層２７が受像紙２１に転写される点での圧力（密着力）と温度のバランスが変化し、転写の状態に変化が生じる。
【手続補正９】
【補正対象書類名】明細書
【補正対象項目名】００４４
【補正方法】変更
【補正の内容】
【００４４】
また、スライダー４１の摩擦ローラ３８と対向する位置には弾性摩擦子４３が設けられている。そして、プランジャー４４がスライダー４１とアーム支持シャフト３６の間に設けられており、かつ一端がヘッドアーム１２に固定され、他端がスライダー４１に係合されている。さらに、スライダー４１のサーマルヘッド１３に近い側の端部に一端が懸架され、他端がヘッドアーム１２に伸張した状態で懸架されたスライダーばね４５が設けられている。
【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
眼球の切開部に挿入されて眼内挿入用レンズを眼球内に送り出す挿入筒と、
前記レンズを、前記挿入筒を通して眼球内に押し出す押出し軸とを有し、
前記挿入筒は、先端付近に柔軟性を有する突起部を有することを特徴とする眼内挿入用レンズの挿入器具。
【請求項２】
請求項１に記載の挿入器具と、
該挿入器具内にて保持された眼内挿入用レンズとを有することを特徴とする眼内挿入用レンズ内装型挿入器具。
【請求項３】
請求項１に記載の挿入器具を準備する工程と、
眼内挿入用レンズを前記挿入器具内に保持させる工程とを含むことを特徴とする眼内挿入用レンズ内装型挿入器具の製造方法。
【手続補正２】
【補正対象書類名】明細書
【補正対象項目名】０００８
【補正方法】変更
【補正の内容】
【０００８】
本発明の一側面としての眼内挿入用レンズの挿入器具は、眼球の切開部に挿入されて眼内挿入用レンズを眼内に送り出す挿入筒と、該レンズを挿入筒を通して眼内に押し出す押出し軸とを有する。そして、挿入筒は、先端付近に柔軟性を有する突起部を有することを特徴とする。
【手続補正３】
【補正対象書類名】明細書
【補正対象項目名】０００９
【補正方法】変更
【補正の内容】
【０００９】
本発明によれば、挿入筒の先端付近に柔軟性を有する突起部によって、挿入筒から眼内に供給された液体の該切開部内の隙間からのリーク量を制限することができる。このため、眼内に供給される液体の量が少なくても、眼圧を高めて前房を十分に膨らませ、レンズをスムーズに眼球内に挿入することができる。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技領域形成体と、
遊技機前面部に設けられ、前記遊技領域を視認可能とする窓パネル部と、
前記遊技領域形成体の奥側に設けられ、前記遊技領域における遊技結果に基づいて遊技球を払い出す払出装置と、
前記窓パネル部の下方に設けられ、前記払出装置から払い出された遊技球を貯留する球受け皿と
を備えた遊技機において、
前方へ回動可能に設けられた遊技機前面体に前記窓パネル部と前記球受け皿とを設けるとともに、当該遊技機前面体に前記払出装置から払い出された遊技球を前記球受け皿に排出する排出通路を設け、
前記排出通路の途中位置にて当該排出通路を流下する遊技球を検出する満杯検出手段と、満杯検出手段の検出結果に基づいて前記球受け皿が満杯状態であると判定された場合に前記払出装置による遊技球の払い出しを制限する払出制限手段とを備え、
さらに、前記払出装置を支持する支持体に、前記払出装置と前記排出通路とを連結する連結通路を設けるとともに、当該連結通路に、前記遊技機前面体が開放された場合に前記連結通路の遊技球の通過を阻止する阻止手段を設けたことを特徴とする遊技機。
【請求項２】
前記阻止手段は、前記連結通路における遊技球の流下軌道上に一部が突出し当該突出部に前記連結通路を流下する遊技球が当たることで従動回転する回転体と、
当該回転体の回転を阻止する阻止位置と許容する許容位置との間で移動可能に設けられ、前記遊技機前面体が開放された場合に前記阻止位置に移動するストッパとを備えたことを特徴とする請求項１に記載の遊技機。
【請求項３】
前記回転体の外周には、１個の遊技球が載る球受け凹部を回転方向に複数並設し、
前記突出部は、前記回転体の外周における球受け凹部間の部位であり、
前記球受け凹部に載った遊技球が前記回転体の従動回転に伴って下流側へ導出されるようにしたことを特徴とする請求項２に記載の遊技機。
【請求項４】
前記ストッパを前記阻止位置に向けて付勢する付勢手段と、
前記遊技機前面体に少なくとも一部が設けられ、当該遊技機前面体が前記支持体に対して閉じた位置にある場合に前記ストッパを前記許容位置に向けて押圧する押圧手段とを備えたことを特徴とする請求項２又は３に記載の遊技機。
【請求項５】
前記支持体に対して前記遊技機前面体が開放されたことを検出する開放検出手段と、当該開放検出手段の検出結果に基づいて前記遊技機前面体が開放されたか否かを判定する開放判定手段とを備え、
前記ストッパは、前記開放判定手段により前記遊技機前面体が開放されたと判定された場合に前記阻止位置に移動するよう駆動制御される駆動手段の駆動部であることを特徴とする請求項２又は３に記載の遊技機。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
遊技球が流下する遊技領域が形成された遊技領域形成体と、
遊技機前面部に設けられ、前記遊技領域を視認可能とする窓パネル部と、
前記遊技領域形成体の奥側に設けられ、前記遊技領域における遊技結果に基づいて遊技球を払い出す払出装置と、
前記窓パネル部の下方に設けられ、前記払出装置から払い出された遊技球を貯留する球受け皿と
を備えた遊技機において、
前方へ回動可能に設けられた遊技機前面体に前記窓パネル部と前記球受け皿とを設けるとともに、当該遊技機前面体に前記払出装置から払い出された遊技球を前記球受け皿に排出する排出通路を設け、
さらに、前記排出通路の途中位置にて当該排出通路を流下する遊技球を検出する満杯検出手段と、
満杯検出手段の検出結果に基づいて前記球受け皿が満杯状態であると判定された場合に前記払出装置による遊技球の払い出しを制限する払出制限手段と
を備えたことを特徴とする遊技機。
【請求項２】
前記遊技機前面体が開放されたことを検出する開放検出手段と、当該開放検出手段の検出結果に基づいて前記遊技機前面体が開放されたか否かを判定する開放判定手段とを備え、
前記払出制限手段は、前記開放判定手段により前記遊技機前面体が開放されたと判定された場合に前記払出装置による遊技球の払い出しを制限することを特徴とする請求項１に記載の遊技機。
【請求項３】
前記排出通路は、上方に開放され前記払い出された遊技球を受ける球受口を備え、
前記払い出された遊技球の前記球受口における到達位置が前記遊技機前面体の回動方向に対して先端側に偏倚した位置となるように前記球受口を形成したことを特徴とする請求項２に記載の遊技機。
【請求項４】
前記球受け皿は、上皿と下皿とを備え、
前記排出通路は、前記上皿へ遊技球を排出する上皿排出部と、前記下皿へ遊技球を排出する下皿排出部と、前記上皿が満杯状態となった場合に前記払い出された遊技球を前記下皿排出部に振り分ける球振分部とを備え、
前記満杯検出手段を、前記下皿排出部の途中位置にて遊技球を検出するよう配置し、
さらに、前記球振分部を、前記排出通路の上流部にて上方に開放させて形成するとともに、上下方向に延びる仕切壁を形成することで上皿側開放部と下皿側開放部とに区画し、
前記上皿が満杯状態となり前記下皿へ遊技球が振り分けられる場合に前記球振分部の上面開放部から遊技球が突出しないように、前記上面開放部と前記仕切壁の上縁との間の距離を遊技球１個分以上としたことを特徴とする請求項１乃至３のいずれか１に記載の遊技機。
【請求項５】
前記満杯検出手段の検出結果に基づいて前記払出制限手段により遊技球の払い出しが制限される場合に、当該制限が実行される前までに既に払い出された遊技球が前記排出通路よりも上流側にて待機しないように、当該排出通路における前記満杯検出手段の検出位置よりも上流側の通路長を設定したことを特徴とする請求項１乃至４のいずれか１に記載の遊技機。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板を複数備え、これら制御基板を電気配線を用いて電気的に接続した遊技機において、
第１制御基板と第２制御基板を電気的に接続する特定電気配線に、前記制御基板間の接続状態を確認可能な接続確認部材を設けたことを特徴とする遊技機。
【請求項２】
前記接続確認部材として、前記特定電気配線の周囲を覆うカバー部材を設けたことを特徴とする請求項１に記載の遊技機。
【請求項３】
前記接続確認部材を透明な合成樹脂材料にて形成したことを特徴とする請求項１又は２に記載の遊技機。
【請求項４】
前記接続確認部材に、前記特定電気配線の接続先を示唆する示唆部を設けたことを特徴とする請求項１乃至３のいずれか一項に記載の遊技機。
【請求項５】
前記接続確認部材の長さを前記特定電気配線の長さとほぼ同じとしたことを特徴とする請求項１乃至４のいずれか一項に記載の遊技機。
【請求項６】
前記特定電気配線の両端部にコネクタ部材を設け、該コネクタ部材を前記接続確認部材の移動を規制する構成としたことを特徴とする請求項１乃至５のいずれか一項に記載の遊技機。
【請求項７】
前記特定電気配線は、前記接続確認部材の挿通孔に挿通されるとともにその両端部が前記コネクタ部材に固定されており、前記挿通孔を、前記コネクタ部材を挿通させることが不可能な形状又は大きさとしたことを特徴とする請求項６に記載の遊技機。
【手続補正書】
【提出日】平成21年5月13日(2009.5.13)
【手続補正１】
【補正対象書類名】明細書
【補正対象項目名】００１０
【補正方法】変更
【補正の内容】
【００１０】
また、本発明の請求項２に係るメディア攪拌型湿式分散機は、請求項１に記載のメディア攪拌型湿式分散機において、前記内側室が直径Ｄで両端間の長さＬの円筒状であり、前記小ロータの数がＮであるとき、式１の関係がある手段を採用している。
０．３Ｎ  ＜  Ｌ／Ｄ  ＜  ０．７５Ｎ    ……  式１
【手続補正２】
【補正対象書類名】明細書
【補正対象項目名】００１６
【補正方法】変更
【補正の内容】
【００１６】
また、本発明の請求項８に係るメディア攪拌型湿式分散機は、請求項１乃至７の何れかに記載のメディア攪拌型湿式分散機において、前記攪拌部が前記保持部により二分されると共に、前記攪拌部が二分される両方の側に前記貫通孔を備えている手段を採用している。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
原水をｐＨ６以下に調整する第１のｐＨ調整装置、
ｐＨ調整された原水を脱気する脱気装置、
脱気水を脱塩するとともに有機物を除去する第１の逆浸透膜装置、
第１の逆浸透膜装置から得られる第１の透過液をｐＨ８．５以上に調整する第２のｐＨ調整装置、
ｐＨ調整された第１の透過液を脱塩するとともに、第１の逆浸透膜装置を透過した有機物を除去して高純度水を得る第２の逆浸透膜装置、および
第２の逆浸透膜装置から得られる第２の濃縮液を酸化処理して、第１の逆浸透膜装置を透過した有機物を酸化分解し第１の逆浸透膜装置に返送して脱塩するとともに有機物を除去するように供給する酸化処理装置
を含む高純度水の製造装置。
【請求項２】
酸化処理装置が、紫外線酸化処理装置である請求項１記載の装置。
【請求項３】
酸化処理装置が、１８０ｎｍ以上の紫外線を用い０．０５〜０．３ＫＷＨ／ｍ３で紫外線酸化処理する紫外線酸化処理装置である請求項１記載の装置。
【請求項４】
原水をｐＨ６以下に調整して脱気し、
脱気水を第１の逆浸透膜装置で脱塩するとともに有機物を除去し、
第１の逆浸透膜装置から得られる第１の透過液をｐＨ８．５以上に調整し、ｐＨ調整した第１の透過液を第２の逆浸透膜装置で脱塩するとともに、第１の逆浸透膜装置を透過した有機物を除去して高純度水を得、
第２の逆浸透膜装置の濃縮液を酸化処理して、第１の逆浸透膜装置を透過した有機物を酸化分解し第１の逆浸透膜装置に返送して脱塩するとともに有機物を除去するように供給する
高純度水の製造方法。
【請求項５】
酸化処理が、紫外線酸化処理である請求項４記載の方法。
【請求項６】
酸化処理が、１８０ｎｍ以上の紫外線を用い０．０５〜０．３ＫＷＨ／ｍ３で紫外線酸化処理する処理である請求項４記載の方法。
【手続補正２】
【補正対象書類名】明細書
【補正対象項目名】０００８
【補正方法】変更
【補正の内容】
【０００８】
本発明は次の高純度水の製造装置および方法である。
（１）  原水をｐＨ６以下に調整する第１のｐＨ調整装置、
ｐＨ調整された原水を脱気する脱気装置、
脱気水を脱塩するとともに有機物を除去する第１の逆浸透膜装置、
第１の逆浸透膜装置から得られる第１の透過液をｐＨ８．５以上に調整する第２のｐＨ調整装置、
ｐＨ調整された第１の透過液を脱塩するとともに、第１の逆浸透膜装置を透過した有機物を除去して高純度水を得る第２の逆浸透膜装置、および
第２の逆浸透膜装置から得られる第２の濃縮液を酸化処理して、第１の逆浸透膜装置を透過した有機物を酸化分解し第１の逆浸透膜装置に返送して脱塩するとともに有機物を除去するように供給する酸化処理装置
を含む高純度水の製造装置。
（２）  酸化処理装置が、紫外線酸化処理装置である上記（１）記載の装置。
（３） 酸化処理装置が、１８０ｎｍ以上の紫外線を用い０．０５〜０．３ＫＷＨ／ｍ３で紫外線酸化処理する紫外線酸化処理装置である上記（１）記載の装置。
（４）  原水をｐＨ６以下に調整して脱気し、
脱気水を第１の逆浸透膜装置で脱塩するとともに有機物を除去し、
第１の逆浸透膜装置から得られる第１の透過液をｐＨ８．５以上に調整し、ｐＨ調整した第１の透過液を第２の逆浸透膜装置で脱塩するとともに、第１の逆浸透膜装置を透過した有機物を除去して高純度水を得、
第２の逆浸透膜装置の濃縮液を酸化処理して、第１の逆浸透膜装置を透過した有機物を酸化分解し第１の逆浸透膜装置に返送して脱塩するとともに有機物を除去するように供給する
高純度水の製造方法。
（５） 酸化処理が、紫外線酸化処理である上記（４）記載の方法。
（６） 酸化処理が、１８０ｎｍ以上の紫外線を用い０．０５〜０．３ＫＷＨ／ｍ３で紫外線酸化処理する処理である上記（４）記載の方法。
【手続補正３】
【補正対象書類名】明細書
【補正対象項目名】００２２
【補正方法】変更
【補正の内容】
【００２２】
本発明によれば、第１のＲＯ装置で脱塩するとともに有機物を除去した第１の透過液を、第２のＲＯ装置で脱塩するとともに、第１の逆浸透膜装置を透過した有機物を除去し、第２のＲＯ装置から得られる第２の濃縮液を酸化処理して、第１の逆浸透膜装置を透過した有機物を酸化分解し第１のＲＯ装置に返送して脱塩するとともに有機物を除去するようにしたので、水回収率を高くして大量の高純度水を回収するとともに、有機物を効率よく除去して有機物濃度の低い高純度水を低コストで得ることができる。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
作品紹介手段と、作品特定手段と、記録手段と、通信手段を備え、リクエスト曲を演奏する際に当該楽曲専用の複数のカラオケ映像作品の中から１つの作品を再生するカラオケ演奏装置であって、
作品紹介手段は、リクエスト曲のカラオケ演奏をする前に、当該楽曲専用の複数のカラオケ映像作品にそれぞれ付属している紹介情報を一覧表示し、
紹介情報は、カラオケ映像作品の作品名と、カラオケ映像作品の再生回数に対応した利用実績とを対応付けし、
作品特定手段は、作品紹介手段により一覧表示された紹介情報の中から１つのカラオケ映像作品を特定する利用者入力を受け付け、リクエスト曲のカラオケ演奏時に当該特定されたカラオケ映像作品を再生させ、
記録手段は、各カラオケ映像作品の再生回数を記録し、
通信手段は、情報通信ネットワークを介して集計サーバーと通信し、記録手段が記録した各カラオケ映像作品の再生回数の情報を送信する
カラオケ演奏装置。
【請求項２】
紹介情報は、さらに、カラオケ映像作品の作者の情報を含む
請求項１に記載のカラオケ演奏装置。
【請求項３】
作品紹介手段は、複数のカラオケ映像作品の利用実績を作品名と対応付けして一覧的にグラフ表示する
請求項１または２に記載のカラオケ演奏装置。
【請求項４】
作品紹介手段と、作品特定手段と、記録手段と、通信手段を備え、リクエスト曲を演奏する際に当該楽曲専用の複数のカラオケ映像作品の中から１つの作品を再生するカラオケ演奏装置であって、
作品紹介手段は、リクエスト曲のカラオケ演奏をする前に、当該楽曲専用の複数のカラオケ映像作品にそれぞれ付属している紹介情報を一覧表示し、
紹介情報は、カラオケ映像作品の作品名および作者と、カラオケ映像作品の再生回数に対応した利用実績とを対応付けし、
紹介情報の一覧表示は、複数のカラオケ映像作品の利用実績を作品名と対応付けしたグラフ表示を含み、
作品特定手段は、作品紹介手段により一覧表示された紹介情報の中から１つのカラオケ映像作品を特定する利用者入力を受け付け、リクエスト曲のカラオケ演奏時に当該特定されたカラオケ映像作品を再生させ、
記録手段は、各カラオケ映像作品の再生回数を記録し、
通信手段は、情報通信ネットワークを介して集計サーバーと通信し、記録手段が記録した各カラオケ映像作品の再生回数の情報を送信する
カラオケ演奏装置。
【手続補正２】
【補正対象書類名】明細書
【補正対象項目名】発明の名称
【補正方法】変更
【補正の内容】
【発明の名称】楽曲専用の複数のカラオケ映像作品の中から１つの作品を選んで再生可能なカラオケ演奏装置
【手続補正３】
【補正対象書類名】明細書
【補正対象項目名】００１１
【補正方法】変更
【補正の内容】
【００１１】
この発明に係るカラオケ演奏装置は、分説すると、つぎの事項（１）〜（６）により特定されるものである。
（１）作品紹介手段と、作品特定手段と、記録手段と、通信手段を備え、リクエスト曲を演奏する際に当該楽曲専用の複数のカラオケ映像作品の中から１つの作品を再生するカラオケ演奏装置であること
（２）作品紹介手段は、リクエスト曲のカラオケ演奏をする前に、当該楽曲専用の複数のカラオケ映像作品にそれぞれ付属している紹介情報を一覧表示すること
（３）紹介情報は、カラオケ映像作品の作品名と、カラオケ映像作品の再生回数に対応した利用実績とを対応付けすること
（４）作品特定手段は、作品紹介手段により一覧表示された紹介情報の中から１つのカラオケ映像作品を特定する利用者入力を受け付け、リクエスト曲のカラオケ演奏時に当該特定されたカラオケ映像作品を再生させること
（５）記録手段は、各カラオケ映像作品の再生回数を記録すること
（６）通信手段は、情報通信ネットワークを介して集計サーバーと通信し、記録手段が記録した各カラオケ映像作品の再生回数の情報を送信すること
【手続補正４】
【補正対象書類名】明細書
【補正対象項目名】００１２
【補正方法】変更
【補正の内容】
【００１２】
他の発明に係るカラオケ演奏装置は、分説すると、つぎの事項（11）〜（17）により特定されるものである。
（11）作品紹介手段と、作品特定手段と、記録手段と、通信手段を備え、リクエスト曲を演奏する際に当該楽曲専用の複数のカラオケ映像作品の中から１つの作品を再生するカラオケ演奏装置であること
（12）作品紹介手段は、リクエスト曲のカラオケ演奏をする前に、当該楽曲専用の複数のカラオケ映像作品にそれぞれ付属している紹介情報を一覧表示すること
（13）紹介情報は、カラオケ映像作品の作品名および作者と、カラオケ映像作品の再生回数に対応した利用実績とを対応付けすること
（14）紹介情報の一覧表示は、複数のカラオケ映像作品の利用実績を作品名と対応付けしたグラフ表示を含むこと
（15）作品特定手段は、作品紹介手段により一覧表示された紹介情報の中から１つのカラオケ映像作品を特定する利用者入力を受け付け、リクエスト曲のカラオケ演奏時に当該特定されたカラオケ映像作品を再生させること
（16）記録手段は、各カラオケ映像作品の再生回数を記録すること
（17）通信手段は、情報通信ネットワークを介して集計サーバーと通信し、記録手段が記録した各カラオケ映像作品の再生回数の情報を送信すること
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
映像サーバーと、複数のカラオケ演奏端末を備え、各カラオケ演奏端末が映像サーバーと通信して取得したカラオケ映像作品をカラオケ演奏とともに再生する通信カラオケシステムであって、
映像サーバーは、通信手段と、記憶手段と、制御手段を備え、
通信手段は、インターネットを介して投稿者コンピュータと通信可能とし、
記憶手段は、映像データベースと、索引情報を格納し、
映像データベースは、複数のカラオケ映像作品を含み、
映像データベースにおける各カラオケ映像作品には、投稿者情報と、楽曲番号が対応付けされており、
索引情報は、映像データベースに登録された各カラオケ映像作品の投稿者情報を楽曲番号に対応付けして集約し、
制御手段は、投稿者コンピュータからカラオケ映像作品・投稿者情報・楽曲特定情報の投稿を受信した際、当該投稿の内容を映像データベースに登録するとともに、当該投稿の内容に基づいて索引情報を更新し、
制御手段は、更新された索引情報を各カラオケ演奏端末に配信し、
カラオケ演奏端末は、映像サーバーから索引情報を受信した際、当該索引情報を記憶保存し、
カラオケ演奏端末は、利用者入力により特定された楽曲番号Ａに基づいて保存してある索引情報を検索し、当該楽曲番号Ａに対応付けされた投稿者情報を抽出して利用者向けに表示するとともに、表示された投稿者情報の中から任意の投稿者情報Ｂを特定する利用者入力を受け付け、
カラオケ演奏端末は、利用者入力により特定された前記楽曲番号Ａのカラオケ楽曲と、利用者入力により特定された前記投稿者情報Ｂおよび前記楽曲番号Ａに対応付けて映像データベースに登録されたカラオケ映像作品とを同期して音響映像出力する
通信カラオケシステム。
【請求項２】
記憶手段は、投稿受付ページの構成データを格納し、
制御手段は、アクセスしてきた投稿者コンピュータに投稿受付ページの構成データを送信し、
投稿受付ページの構成データは、投稿者コンピュータにおいて、投稿者にカラオケ楽曲を特定させるとともに投稿者情報の記入を促す画面を表示させる処理と、当該画面により受け付けた楽曲特定情報と投稿者情報をカラオケ映像作品とともに映像サーバーに送信させる処理を可能とする
請求項１に記載の通信カラオケシステム。
【請求項３】
投稿者情報は、投稿者プロフィールを含む
請求項１または２に記載の通信カラオケシステム。
【請求項４】
投稿者情報は、作品コメントを含む
請求項１または２に記載の通信カラオケシステム。
【手続補正２】
【補正対象書類名】明細書
【補正対象項目名】発明の名称
【補正方法】変更
【補正の内容】
【発明の名称】カラオケ映像作品の投稿を受け付けてカラオケ演奏時に再生可能とする通信カラオケシステム
【手続補正３】
【補正対象書類名】明細書
【補正対象項目名】００１１
【補正方法】変更
【補正の内容】
【００１１】
この発明に係る通信カラオケシステムは、分説すると、つぎの事項（１）〜（12）により特定されるものである。
（１）映像サーバーと、複数のカラオケ演奏端末を備え、各カラオケ演奏端末が映像サーバーと通信して取得したカラオケ映像作品をカラオケ演奏とともに再生する通信カラオケシステムであること
（２）映像サーバーは、通信手段と、記憶手段と、制御手段を備えること
（３）通信手段は、インターネットを介して投稿者コンピュータと通信可能とすること
（４）記憶手段は、映像データベースと、索引情報を格納すること
（５）映像データベースは、複数のカラオケ映像作品を含むこと
（６）映像データベースにおける各カラオケ映像作品には、投稿者情報と、楽曲番号が対応付けされていること
（７）索引情報は、映像データベースに登録された各カラオケ映像作品の投稿者情報を楽曲番号に対応付けして集約すること
（８）制御手段は、投稿者コンピュータからカラオケ映像作品・投稿者情報・楽曲特定情報の投稿を受信した際、当該投稿の内容を映像データベースに登録するとともに、当該投稿の内容に基づいて索引情報を更新すること
（９）制御手段は、更新された索引情報を各カラオケ演奏端末に配信すること
（10）カラオケ演奏端末は、映像サーバーから索引情報を受信した際、当該索引情報を記憶保存すること
（11）カラオケ演奏端末は、利用者入力により特定された楽曲番号Ａに基づいて保存してある索引情報を検索し、当該楽曲番号Ａに対応付けされた投稿者情報を抽出して利用者向けに表示するとともに、表示された投稿者情報の中から任意の投稿者情報Ｂを特定する利用者入力を受け付けること
（12）カラオケ演奏端末は、利用者入力により特定された前記楽曲番号Ａのカラオケ楽曲と、利用者入力により特定された前記投稿者情報Ｂおよび前記楽曲番号Ａに対応付けて映像データベースに登録されたカラオケ映像作品とを同期して音響映像出力すること
【手続補正４】
【補正対象書類名】明細書
【補正対象項目名】００１２
【補正方法】変更
【補正の内容】
【００１２】
この発明は、上記のように特定される構成に加えて、望ましくは、映像サーバーの記憶手段に投稿受付ページの構成データを格納しておき、映像サーバーの制御手段がアクセスしてきた投稿者コンピュータに投稿受付ページの構成データを送信するように構成しておく。この投稿受付ページの構成データは、投稿者コンピュータにおいて、投稿者にカラオケ楽曲を特定させるとともに投稿者情報の記入を促す画面を表示させる処理と、当該画面により受け付けた楽曲特定情報と投稿者情報をカラオケ映像作品とともに映像サーバーに送信させる処理を可能とするものとする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
パイプアンカーを地中に埋設するにあたり、パイプアンカーとして本体先端部内側に推進力受け部を有するものを使用し、径が拡縮可能なビットヘッドを先端に有しその後方に前記推進力受け部に当接可能なつば部を備えたビットとハンマー部および回転軸部を直列にした掘削アッセンブリーを前記パイプアンカーに挿通させ、ビットヘッドをアンカー下端外で拡径させた状態で回転軸部とハンマー部を介してビットを回転させつつ、前記ハンマー部の推進力をつば部から推進力受け部に伝えることで所要深さに達するまでパイプアンカーを一体に推進させ、次いでビットヘッドを推進力受け部の内径より小さく縮径し、掘削アッセンブリーをパイプアンカー内から抜き取ることでパイプアンカーを地中に埋設することを特徴とするパイプアンカーの埋設方法。
【請求項２】
施工場所に打ち込みフィード用の架台を据付けて行う請求項１に記載のパイプアンカーの埋設方法。
【請求項３】
パイプアンカーとして亜鉛あるいはアルミ亜鉛合金メッキが施されているものを用いる請求項１又は２に記載のパイプアンカーの埋設方法。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
先端部内側に推進力受け部を設けたパイプアンカーと、径が拡縮可能なビットヘッドを先端に有しその後方に前記推進力受け部に当接可能なつば部を備えたビッドと、ビッドに推進力を与えるハンマー部とビッドに回転力を伝達する回転軸部を直列状に連結した掘削アッセンブリーと、回転軸部およびハンマー部の駆動手段と、前記掘削アッセンブリーを施工場所で支える架台とを備えていることを特徴とするパイプアンカーの埋設装置。
【請求項２】
推進力受け部が鋼製リングからなり、半部がパイプアンカー本体先端部内側に、残部がパイプアンカー本体から突出するように接合されていることを特徴とする請求項１に記載のパイプアンカーの埋設装置。
【請求項３】
推進力受け部が鋼製リングからなり、全体がパイプアンカー本体先端部に内嵌接合されていることを特徴とする請求項２に記載のパイプアンカーの埋設装置。
【請求項４】
パイプアンカーとして亜鉛あるいはアルミ亜鉛合金メッキが施されているものを用いる請求項１ないし３のいずれかに記載のパイプアンカーの埋設装置。
【手続補正書】
【提出日】平成21年1月30日(2009.1.30)
【手続補正１】
【補正対象書類名】明細書
【補正対象項目名】０００８
【補正方法】変更
【補正の内容】
【０００８】
又、上述した各特許文献２〜５に記載された発明のうち、金属板にプレス成形を施してプーリを形成する構造の場合、形状精度にばらつきが生じる場合があり、このプーリと玉軸受とを嵌合した状態で、この玉軸受の内部隙間が変化する可能性がある。ここで、プーリと回転軸とは、軸受筒に対して玉軸受により回転自在に支持されている為、この玉軸受の内部隙間の変化により、上記回転軸が、上記軸受筒内周面に対して偏心したり、傾斜したりする可能性がある。上記メカニカルシールを構成する受板を、上記回転軸に直接外嵌する構造の場合、この回転軸が上記軸受筒内周面に対して傾斜等すると、上記受板もこの軸受筒内周面に対して傾斜する等して、上記メカニカルシールのシール性が低下する可能性がある。
【手続補正２】
【補正対象書類名】明細書
【補正対象項目名】００１４
【補正方法】変更
【補正の内容】
【００１４】
図１〜２は、本発明の実施例１を示している。尚、本発明の特徴は、プーリ１０ａを単列の玉軸受１６により支持すると共に、この玉軸受１６を多点接触型のものとする点にある。ウォータポンプの基本的構造及び作用は、前述の図７で説明した従来構造と同様である為、重複する図示及び説明を省略若しくは簡略にし、以下、本実施例の特徴部分を中心に説明する。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
流路（６）を流れる冷気によって冷却されるのに適した内側面（３）と外側面（５）とを呈する壁（１）に冷却流路（６）を形成する方法であって、前記冷却流路（６）は孔（７）と拡散部（９）とから構成され、前記孔（７）は一方の端部で外に開いて内側面（３）に入り込み、かつ他方の端部でオリフィス（１１）を形成する拡散部分（９）に入り込み、前記拡散部（９）は前記オリフィス（１１）の周囲にアサガオ形に広がり、かつ外に開いて外側面（５）に入り込み、前記方法が、前記孔（７）を作るために壁（１）に穴を開けることと、前記電極（２０）の先端（２２）が端部（２４）が丸みを帯びていて、円錐面（２５）が平面（２６）を呈する円錐形（２３）であるエレクトロエロージョン電極（２０）を使用することによって、前記拡散部分（９）を形成するために、壁（１）内にくぼみを形成することとの、２つの別個のステップを含むことを特徴とする、方法。
【請求項２】
壁（１）が前記孔（７）を作るためにレーザによって穴を開けられることを特徴とする、請求項１に記載の方法。
【請求項３】
前記円錐（２３）の軸（Ｅ）が前記平面（２６）と交差しないことを特徴とする、請求項１または２に記載の方法。
【請求項４】
前記くぼみが、前記円錐（２３）の軸（Ｅ）が前記孔（７）の軸（Ｂ）に平行となるように前記円錐（２３）の軸（Ｅ）を向けることによって形成され、孔（７）の軸（Ｂ）が好ましくは壁（１）の外側面（５）の方にずらされていることを特徴とする、請求項１から３のいずれか一項に記載の方法。
【請求項５】
少なくとも１つの冷却流路（６）が形成される壁要素（１）であって、流路（６）に沿って流れる冷気によって冷却されるのに適した内側面（３）と外側面（５）とを呈し、前記冷却流路（６）は孔（７）と拡散部（９）とから構成され、前記孔（７）は内側面（３）内の一方の端部、およびオリフィス（１１）を形成する拡散部分（９）内の他方の端部で外に開き、前記拡散部（９）は前記オリフィス（１１）の周囲でアサガオ形に開き、かつ外側面（５）内で外に開き、前記壁要素（１）は、拡散部分が実質的に平面であり、壁（１）の厚さで傾斜し、冷気の流れの方向で前記オリフィス（１１）から前方へ延在する底の前端部（１３）と、オリフィスの後ろ、両側面に沿ってとオリフィス（１１）の正面に延在する縁（１５）とを有し、前記縁（１５）は底の前端部（１３）の両側を接合し、前記縁（１５）および底の前端部（１３）が、丸みを帯びた端部（２４）および平面（２６）を示す円錐面（２５）を有する円錐（２３）内で内接することを特徴とする、壁要素。
【請求項６】
底の前端部（１３）の外形が孔（７）を出る冷気の流れ（Ｆ）を広げるように、頂点の１つが前記オリフィス（１１）の方を向いているほぼ三角形の形状であることを特徴とする、請求項５に記載の壁要素。
【請求項７】
前端部（１３）に垂直な面の底の縁（１５）と前端部（１３）との間に形成された角度が、厳密に９０°より大きいことを特徴とする、請求項５または６に記載の壁要素。
【請求項８】
前記円錐（２３）の軸（Ｅ）が孔（７）の軸（Ｂ）に平行であり、孔（７）の軸（Ｂ）が好ましくは壁（１）の外側面（５）の方へずらされていることを特徴とする、請求項５から７のいずれか一項に記載の壁要素。
【請求項９】
請求項５から８のいずれか一項に記載の壁要素を含む、中空のターボ機械ブレード。
【請求項１０】
請求項５から８のいずれか一項に記載の壁要素を有する中空ブレードを含む、ターボ機械。
【請求項１１】
エレクトロエロージョンによって壁（１）内にくぼみを形成するための電極であって、先端（２２）が丸みを帯びた端部（２４）を有する円錐（２３）の形状であり、その円錐面（２５）が平面（２６）を呈することを特徴とする、電極（２０）。
【請求項１２】
前記円錐（２３）の軸（Ｅ）が前記平面（２６）と交差しないことを特徴とする、請求項１１に記載の電極。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
単数または複数のグリーンシートに対し、打ち抜き加工により、貫通孔を形成する工程と、
上記グリーンシートの貫通孔内に、金型の傾斜した面を有する凸部を進入させて、上記貫通孔を上記傾斜した面と相似形に成形する工程と、を含む、
ことを特徴とする配線基板の製造方法。
【手続補正２】
【補正対象書類名】明細書
【補正対象項目名】０００６
【補正方法】変更
【補正の内容】
【０００６】
本発明は、前記課題を解決するため、発光素子を実装するキャビティの側面となるグリーンシートの貫通孔を、傾斜した面を有する凸部を突設した金型を用いて成形する、ことに着想して成されたものである。
即ち、本発明の配線基板の製造方法は、単数または複数のグリーンシートに対し、打ち抜き加工により、貫通孔を形成する工程と、上記グリーンシートの貫通孔内に、金型の傾斜した面を有する凸部を進入させて、上記貫通孔を上記傾斜した面と相似形に成形する工程と、を含む、ことを特徴とする。
【手続補正３】
【補正対象書類名】明細書
【補正対象項目名】０００７
【補正方法】変更
【補正の内容】
【０００７】
これによれば、前記打ち抜き加工でグリーンシートに形成された貫通孔に、前記金型の傾斜した面を有する凸部がかかる貫通孔の軸方向に沿って進入するため、上記貫通孔は上記傾斜した面と相似形に成形される。このため、かかる貫通孔の側面（内周面）は、凸部の傾斜面に倣った傾斜角度で且つ滑らかな表面となる。従って、上記貫通孔の側面を発光素子が実装されるキャビティの側面とし、且つ光反射用の金属層を形成することで、発光素子から発光された光を広角で効率良く反射することが可能となる。
付言すれば、本発明は、単数または複数のグリーンシートに対し、打ち抜き加工により、貫通孔を形成する工程と、平坦面およびかかる平坦面に対して傾斜した面を有する凸部を有する金型と、かかる金型の平坦面に対向する平坦な表面を有する押さえ材とを用い、上記金型の凸部が上記グリーンシートの貫通孔内に進入するように、かかるグリーンシートを上記平坦面の上に配置した後、上記押さえ材を上記グリーンシートと共に上記金型寄りに加圧する工程と、を含む、配線基板の製造方法とすることも可能である。
これによる場合、前記打ち抜き加工で貫通孔を形成されたグリーンシートは、前記金型の平坦面から突設され且つ傾斜した面を有する凸部が上記貫通孔に進入するようにして、金型の平坦面と前記押さえ材とによる加圧を受ける。このため、かかる金型と押さえ材とに挟まれた上記貫通孔の側面（内周面）は、凸部の傾斜面に倣った傾斜角度で且つ滑らかな表面となる。従って、上記貫通孔の側面を発光素子が実装されるキャビティの側面とし、且つ光反射用の金属層を形成することで、発光素子から発光された光を広角で効率良く反射することが可能となる。
尚、前記グリーンシートには、セラミックを主成分とするもの、あるいはガラス−セラミックを主成分とするものが含まれる。また、前記金型における凸部の平坦面に傾斜した面には、後述するように、円錐形、長円錐形、楕円錐形などのアール面の形態のほか、四角錐形状などの複数組の平面からなる形態も含まれる。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
剥離シートからシートを剥離するピールプレートを含むシート繰出ユニットと、テーブルに支持された板状部材に前記シートを押圧して貼付する押圧ローラとを備えたシート貼付装置において、
前記ピールプレートは、前記板状部材の大きさ若しくはテーブルの大きさに応じて、前記押圧ローラが前記シートを板状部材に貼付する方向に進退可能に支持されていることを特徴とするシート貼付装置。
【請求項２】
前記ピールプレートは、前記押圧ローラが板状部材の一端から他端に向かって移動するときに前記テーブルの上方所定位置から当該テーブルに近づく方向に移動することを特徴とする請求項１記載のシート貼付装置。
【請求項３】
前記ピールプレートは、シート貼付角度を一定に維持する状態で移動することを特徴とする請求項２記載のシート貼付装置。
【手続補正２】
【補正対象書類名】明細書
【補正対象項目名】０００９
【補正方法】変更
【補正の内容】
【０００９】
前記目的を達成するため、本発明は、剥離シートからシートを剥離するピールプレートを含むシート繰出ユニットと、テーブルに支持された板状部材に前記シートを押圧して貼付する押圧ローラとを備えたシート貼付装置において、
前記ピールプレートは、前記板状部材の大きさ若しくはテーブルの大きさに応じて、前記押圧ローラが前記シートを板状部材に貼付する方向に進退可能に支持される、という構成を採っている。
【手続補正３】
【補正対象書類名】明細書
【補正対象項目名】００１０
【補正方法】変更
【補正の内容】
【００１０】
本発明において、前記ピールプレートは、前記押圧ローラが板状部材の一端から他端に向かって移動するときに前記テーブルの上方所定位置から当該テーブルに近づく方向に移動する、という構成を採っている。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
板状部材の面に臨む位置にシートを繰り出すシート繰出ユニットと、前記シートに押圧力を付与して板状部材の一端から他端に向かってシートを貼付する押圧ローラと、前記シート繰出ユニットと前記押圧ローラとの間のシートの張力を測定する張力測定手段とを備えたシート貼付装置において、
前記シート繰出ユニットは、前記シートの繰出ヘッドと、前記シートの張力に応じて前記繰出ヘッドを移動させるロボットとを含み、
前記ロボットは、前記張力測定手段による測定結果によって、前記繰出ヘッドを移動させることで、前記押圧ローラによって板状部材にシートを貼付している間の張力を一定に維持することを特徴とするシート貼付装置。
【請求項２】
前記張力測定手段は、ロードセルと、張力測定ローラとを含み、
前記ロードセルが張力の変化を検出したときに前記張力測定ローラの位置を変位させて張力を一定に保つことを特徴とする請求項１記載のシート貼付装置。
【請求項３】
板状部材の面に臨む位置にシートを繰り出すシート繰出ユニットと、前記シートに押圧力を付与して板状部材の一端から他端に向かってシートを貼付する押圧ローラとを備えたシート貼付装置において、
前記シート繰出ユニットは貼付角度維持手段を含み、当該貼付角度維持手段は、前記板状部材に対してシートの貼付角度を一定に保つことを特徴とするシート貼付装置。
【請求項４】
前記シート繰出ユニットはピールプレートを含み、当該ピールプレートの先端から押圧ローラまでの間に繰り出されるシート長さは、前記板状部材の一端から他端までの長さよりも僅かに長く設定されていることを特徴とする請求項１、２又は３記載のシート貼付装置。
【請求項５】
前記シートが板状部材に貼付されたときに、前記ピールプレートの先端は、前記板状部材の前記他端近傍の外側に位置することを特徴とする請求項４記載のシート貼付装置。
【請求項６】
板状部材の面に臨む位置にシートを繰り出すシート繰出ユニットと、前記シートに押圧力を付与して板状部材の一端から他端に向かってシートを貼付する押圧ローラと、前記シート繰出ユニットと前記押圧ローラとの間のシートの張力を測定する張力測定手段とを備え、
前記シート繰出ユニットが、前記シートの繰出ヘッドと、前記シートの張力に応じて前記繰出ヘッドを移動させるロボットとを含むシート貼付装置を用い、
前記ロボットが、前記張力測定手段による測定結果によって、前記繰出ヘッドを移動させることで、前記押圧ローラによって板状部材にシートを貼付している間の張力を一定に維持して板状部材にシートを貼付するシート貼付方法。
【請求項７】
シート繰出ユニットからシートを繰り出すとともに、押圧ローラでシートを押圧して板状部材にシートを貼付するシート貼付方法において、
前記シートは、前記板状部材に対する貼付角度が一定に保たれた状態で貼付されることを特徴とするシート貼付方法。
【請求項８】
前記シート繰出ユニットから押圧ローラまで繰り出されたシートの長さは、前記板状部材の一端から他端までの長さよりも僅かに長く保たれた状態でシート貼付が行われることを特徴とする請求項６又は７記載のシート貼付方法。
【手続補正２】
【補正対象書類名】明細書
【補正対象項目名】０００９
【補正方法】変更
【補正の内容】
【０００９】
前記目的を達成するため、本発明は、板状部材の面に臨む位置にシートを繰り出すシート繰出ユニットと、前記シートに押圧力を付与して板状部材の一端から他端に向かってシートを貼付する押圧ローラと、前記シート繰出ユニットと前記押圧ローラとの間のシートの張力を測定する張力測定手段とを備えたシート貼付装置において、
前記シート繰出ユニットは、前記シートの繰出ヘッドと、前記シートの張力に応じて前記繰出ヘッドを移動させるロボットとを含み、
前記ロボットは、前記張力測定手段による測定結果によって、前記繰出ヘッドを移動させることで、前記押圧ローラによって板状部材にシートを貼付している間の張力を一定に維持する、という構成を採っている。
【手続補正３】
【補正対象書類名】明細書
【補正対象項目名】００１４
【補正方法】変更
【補正の内容】
【００１４】
更に、本発明は、板状部材の面に臨む位置にシートを繰り出すシート繰出ユニットと、前記シートに押圧力を付与して板状部材の一端から他端に向かってシートを貼付する押圧ローラと、前記シート繰出ユニットと前記押圧ローラとの間のシートの張力を測定する張力測定手段とを備え、
前記シート繰出ユニットが、前記シートの繰出ヘッドと、前記シートの張力に応じて前記繰出ヘッドを移動させるロボットとを含むシート貼付装置を用い、
前記ロボットが、前記張力測定手段による測定結果によって、前記繰出ヘッドを移動させることで、前記押圧ローラによって板状部材にシートを貼付している間の張力を一定に維持して板状部材にシートを貼付する、という方法を採っている。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
相互に位置合わされるディスプレイ用パネル基板と半導体装置とにそれぞれマークが形成されており、前記ディスプレイ用パネル基板に前記半導体装置を搭載する際に、これらの両マークの位置を検出するために、それぞれ拡大して１つの撮像手段に撮像するための光学系であって、
前記ディスプレイ用パネル基板と前記半導体装置とに設けた各々のマークを結像させる結像用レンズと、
この結像用レンズの光軸上に配置され、前記２つのマークを撮像するために、撮像面に２つの撮像領域が設定される撮像手段と、
前記２つのマーク画像の光路を相互に分離させて、各々の撮像領域の画像が相互に干渉することなく結像させる光路分離手段と
から構成したことを特徴とするアライメント用光学系。
【請求項２】
前記光路分離手段は、前記光軸の両側に、この光軸に対して所定の角度をもって配設され、前記結像用レンズからの各マークの画像を反射させる第１の反射ミラーと、各第１の反射ミラーに対して前記光軸を挟んだ反対側に配置され、各第１の反射ミラーと平行に配設した第２の反射ミラーとから構成され、これら第２の反射ミラーによる反射角は第１の反射ミラーへの入射角より大きい角度に設定する構成としたことを特徴とする請求項１記載のアライメント用光学系。
【請求項３】
前記光軸上において、前記結像用レンズの前記マークの位置での主光線が交差する部位より前記結像用レンズ側の位置と、前記撮像手段の前側にそれぞれ迷光をカットする遮光部材を配置する構成としたことを特徴とする請求項１または請求項２記載のアライメント用光学系。
【請求項４】
前記光路分離手段は、前記光軸上に、頂点を前記結像用レンズ側に向けた第１のプリズムと、頂点を前記撮像手段側に向けて配設した第２のプリズムとを配置し、また第１のプリズムの各反射面からの光を反射させる第１の反射ミラーと、この第１の反射ミラーからの反射光を第２のプリズムに入射させる第２の反射ミラーとから構成され、前記第２のプリズムからの反射光路は、前記光軸と平行な方向に導くように構成したことを特徴とする請求項１記載のアライメント用光学系。
【請求項５】
請求項１から請求項４のいずれか１項に記載のアライメント用光学系を備え、前記ディスプレイ用パネル基板に設けられたマークと前記半導体装置に設けられたマークとを前記アライメント用光学系を用いて位置合わせして、前記ディスプレイ用パネル基板に前記半導体装置を搭載することを特徴とする半導体装置の搭載装置。
【手続補正２】
【補正対象書類名】明細書
【補正対象項目名】０００８
【補正方法】変更
【補正の内容】
【０００８】
前述した目的を達成するために、本発明は、相互に位置合わされるディスプレイ用パネル基板と半導体装置とにそれぞれマークが形成されており、前記ディスプレイ用パネル基板に前記半導体装置を搭載する際に、これらの両マークの位置を検出するために、それぞれ拡大して１つの撮像手段に撮像するための光学系であって、前記ディスプレイ用パネル基板と前記半導体装置とに設けた各々のマークを結像させる結像用レンズと、この結像用レンズの光軸上に配置され、前記２つのマークを撮像するために、撮像面に２つの撮像領域が設定される撮像手段と、前記２つのマーク画像の光路を相互に分離させて、各々の撮像領域の画像が相互に干渉することなく結像させる光路分離手段とから構成したことをその特徴とするものである。